(57)【要約】【課題】ブームの管内にリブ３を設け、リブ３の元部側を管壁４に固着し、リブ３の先端側３ｂは自由端にして、リブ３の先端側を比較的軽い力でアンテナ素子に曲げ付けてアンテナ素子を上記ブームに固着する。【解決手段】中空のブームには中空管状のアンテナ素子を貫通させ、アンテナ素子のブーム管内に位置する部分の周面における両側に、夫々凹部を形成し、ブームの管内においてはアンテナ素子の両側にリブを備え、夫々のリブの元部側はブーム管壁に固着し、リブの自由端側は、アンテナ素子の管壁の両側に形成された凹部に当接させ、アンテナ素子を両側から挟持する状態で、アンテナ素子を上記ブームに固着する。【選択図】        図５
2004236100.tif 000002
【特許請求の範囲】
【請求項１】
中空のブームの管壁には、軸心方向に適当な間隔を隔てて、夫々中空管状のアンテナ素子をブームの軸線に直交する方向に貫通させる為の二個一対の管壁孔を複数備え、
上記二個一対の管壁孔の夫々には中空管状のアンテナ素子を貫通させ、かつ、それらのアンテナ素子は夫々上記ブームに固着してあるアンテナにおいて、
上記ブームに対するアンテナ素子の固着は、
上記中空管状のアンテナ素子におけるブームの管内に位置する部分であって、上記ブームの管壁における管壁孔から離れた位置にある上記アンテナ素子の周面における両側に、夫々上記軸心に平行な谷部を備える凹部を形成し、一方、
ブームの管内においては、断面形状においてアンテナ素子を中間にしてそれの両側位置に夫々上記ブームの軸心方向に伸びるリブを備え、
それらのリブの断面形状における元部側は、夫々ブームの管壁に一体的に固着してあり、夫々のリブの断面形状における自由端側は、上記アンテナ素子の管壁における両側に形成された凹部の谷部に夫々当接させ、上記アンテナ素子を両側から挟持する状態で、上記ブームにアンテナ素子を固着したことを特徴とするアンテナ。
【請求項２】
中空のブームの管壁には、軸心方向に適当な間隔を隔てて、夫々中空管状のアンテナ素子をブームの軸線に直交する方向に貫通させる為の二個一対の管壁孔を複数備え、
上記二個一対の管壁孔の夫々には中空管状のアンテナ素子を貫通させ、かつ、それらのアンテナ素子は夫々上記ブームに固着してあるアンテナにおいて、
上記ブームに対するアンテナ素子の固着は、
上記中空管状のアンテナ素子におけるブームの管内に位置する部分であって、上記ブームの管壁における管壁孔から離れた位置にある上記アンテナ素子の周面における両側に、夫々上記軸心に平行な谷部を備える凹部を相互に離間させた状態で２カ所宛形成し、一方、
ブームの管内においては、断面形状においてアンテナ素子を中間にしてそれの両側位置で、かつ、上記ブームの管壁における夫々の管壁孔の側に夫々上記ブームの軸線方向に伸びる４条のリブを備え、
それらのリブの断面形状における元部側は、夫々管壁孔の側の管壁に一体的に固着してあり、夫々のリブの断面形状における自由端側は、上記アンテナ素子の管壁における両側に夫々形成された上記軸心方向に平行な谷部に夫々当接させ、上記アンテナ素子を両側の４カ所から挟持する状態で、上記ブームにアンテナ素子を固着したことを特徴とするアンテナ。
【請求項３】
中空のブームは、その内側において、断面形状においてアンテナ素子の存置予定位置の両側となる位置に、夫々上記ブームの軸心方向に伸びるリブを備えさせ、それらのリブの断面形状における元部側は、夫々ブームの管壁に一体的に固着し、夫々のリブの断面形状における先端側は自由端とし、
さらに上記ブームには、軸心方向に適当な間隔を隔てて、中空管状のアンテナ素子をブームの軸線に直交する方向に貫通させる為の二個一対の管壁孔が複数備えられ、
次に上記二個一対の管壁孔には夫々中空管状のアンテナ素子を貫通させ、
次に、上記のリブに加圧してリブを変形させることにより、リブの自由端を上記中空管状アンテナ素子の管壁に押し当てて、中空管状のアンテナ素子の外周面を凹ませ、リブの自由端と中空管状のアンテナ素子の外周面における凹部との嵌合により、中空管状のアンテナ素子の回動と、アンテナ素子の長手方向への移動を阻止するようにしたこと特徴とするアンテナの製法。
【発明の詳細な説明】
【０００１】
【発明の属する技術分野】
本発明は、例えばＵＨＦ、その他の通信信号の送受をする場合に、ブームの軸線方向に適当な間隔を隔てて複数個の貫通孔を備えさせ、その貫通孔に対して、パイプ状のアンテナ素子を貫通させた状態で固定して利用する形式のアンテナに関するものである。
【０００２】
【従来の技術】
従来より、ブームの軸線方向の適当な間隔を隔てた位置に、夫々ブームの軸線に対して直交する方向に向けた複数個の貫通孔を備えさせ、上記複数個の貫通孔の夫々にパイプ状のアンテナ素子を貫通させ、これらのアンテナ素子をブームに夫々固定させたアンテナ及びそのようなアンテナを製造する方法は広く知られている（例えば、特許文献１参照）。
上記従来の固定手段は、アンテナ素子の管内に可塑性材料で形成されている金属製の中空管を挿入し、それをブームの軸線を中心として位置させ、その中空管内に両側から棒状治具の先端を挿入し、両側から加圧することにより中空管の入口を半径方向に変形させて、その変形作用によりアンテナ素子におけるブーム内の管壁の全周を夫々径方向に拡張させてブームの貫通孔の内側の孔縁に圧接させることによりアンテナ素子をブームに固定させる手段を用いている。
【０００３】
【特許文献１】
特開昭５７−１１５００１号公報（図３，図６）
【特許文献２】
実開昭５７−２７０７号公報（図３）
【０００４】
【発明が解決しようとする課題】
この従来のアンテナの製造方法では、中空管における両端の管口の拡張の度合が、中空管における中央部における拡張の度合よりも大きくなり、必然、アンテナ素子におけるブーム内の管壁における孔縁近くの管壁が急激な角度でもって径方向に局部的に拡張される。このように管壁の一部が局部的に拡張されると経時使用によって、そこが繰返し曲げ荷重を集中的に受けて傷む等、耐久性に欠ける問題点があった。また一つのアンテナ素子に対して一つの中空管を消耗品として必要とする為部品コストが嵩み生産コストを高める問題点もあった。
そこで上記消耗品を節約する為に、アンテナ素子におけるブーム内の管壁における孔縁近くの管壁を消耗品を用いることなく機械的に膨出させる手段として図８に示されるものがある（例えば、特許文献２参照）。
【０００５】
このような公知の手段により製造されるアンテナは、製造時において、ブーム２の管内にアンテナ素子６を貫通させ、アンテナ素子６をブーム２に固着させる作業は、棒状治具１４，１４の夫々の先端における傾斜状態の対向面１５，１５を図８（Ａ）の準備状態に成し、次に、棒状治具１４，１４の夫々の先端における傾斜状態の対向面１５，１５を、図８（Ｂ）の位置にまで両側から前進させる。すると傾斜状態の対向面１５，１５の重なりが大きくなることにより、そこの対向面１５，１５の重なり部分の外周が大きくなり、アンテナ素子６の内径を図示のように膨らます。しかしかかる作業において対向面１５，１５の間にゴミ１６が介在した場合には、対向面１５，１５の重なり部分の外周が予定寸法よりも大きくなり、図示のようにブーム管壁４の孔縁４ｂ近くに形成予定の膨出部７ａの膨出量が、予定したよりも大きく突出し、ブームの管壁の孔縁４ｂ近くにおいてアンテナ素子６の管壁７を破損させる問題点があった。
また、傾斜状態の対向面１５，１５の重なりが予定よりも少ない場合には、アンテナ素子６の膨出部７ａがブーム２の管壁の孔縁４ｂ近くに突出せず、予定した場所よりもブーム２の管内の中間部寄りに膨出部７ａが突出する。すると膨出部７ａがブームの孔縁４ｂの内側に接しないで離れ、アンテナ素子は固着されず、軸芯方向にずれ、不良品発生率を高める問題点があった。
【０００６】
また、予定通りブーム２の管壁の孔縁４ｂ近くに膨出部７ａを突出させ、アンテナ素子６を固着したものであっても、アンテナが暴風雨に晒されて、ブーム２とアンテナ素子６が暴風雨による振動を受けたとき、ブーム２から突出するアンテナ素子はブームの管壁の孔縁４ｂ近くにおける上記膨出部７ａ近くを支点として振動する。
このことは、アンテナ素子が共振現象により、上記弱体化している膨出部７ａ近くを支点として繰返し曲げ荷重を受けることになり、アンテナ素子の管壁は、膨出部７ａ近くで金属疲労によって局部的に傷み、折損する問題点があった。
【０００７】
本件出願のアンテナは、上記従来技術の問題点を解決する為に提供するものである。
本件出願の目的は、中空のブームに対し、アンテナ素子を固定した状態においてその固定部分が外部からは見ることができず、外観的に美しい状態で固着されたアンテナを提供しようとするものである。
本件出願の他の目的は、アンテナが暴風雨に晒されてアンテナ素子が暴風雨により共振的な振動を受けたときでも、ブームから突出するアンテナ素子の元部の止付部分はあまり影響を受けないように、ブーム管内における上記ブームの管壁孔から離れた中間寄りの位置に設定し、アンテナ素子の受け止めは、ブームの管壁における孔縁でアンテナ素子の途中を受け止めるようにして止付部分に対する共振現象を柔らかなものにし、アンテナ素子におけるブームの管壁孔縁近くの損傷を防ぎ、アンテナ素子の寿命を高いものにすることのできるアンテナを提供しようとするものである。
本件出願の他の目的は、ブームにアンテナ素子を貫通させ、アンテナ素子をブームに固着させる作業のとき、ラフな加工精度でもって両者の結合を行うことができ、もって加工能率が上がるように構成したアンテナを提供しようとするものである。
【０００８】
他の目的は、ブームの管内に位置する中空管状のアンテナ素子部分であって、上記ブームの管壁における管壁孔から離れた中間寄りの位置にある上記アンテナ素子の周面においては、相互に反対側となる位置に、夫々上記軸心に平行な谷部を備える凹部を形成すること。その凹部に対し、ブームの管内に備えさせたリブを押し当てることを行う場合において、上記のリブの元部側は予め管壁に一体的に固着しておき、夫々のリブにおけるアンテナ素子の管壁に当接させる側は自由端にしておくことにより、アンテナ素子に対するリブの押付作業は、軽い力でリブを変形させることができ、それにより能率を向上させることができ、その上、ブーム管内において、ブームに固着されているリブを変形させる構成であっても、上記ブームの管壁の方向に対しては、力が発生しないようにして、管壁に悪影響をもたらさないようにできるアンテナを提供しようとするものである。
他の目的及び利点は図面及びそれに関連した以下の説明により容易に明らかになるであろう。
【０００９】
【課題を解決するための手段】
本願発明におけるアンテナは、中空のブームの管壁には、軸心方向に適当な間隔を隔てて、夫々中空管状のアンテナ素子をブームの軸線に直交する方向に貫通させる為の二個一対の管壁孔を複数備え、上記二個一対の管壁孔の夫々には中空管状のアンテナ素子を貫通させ、かつ、それらのアンテナ素子は夫々上記ブームに固着してあるアンテナにおいて、上記ブームに対するアンテナ素子の固着は、上記中空管状のアンテナ素子におけるブームの管内に位置する部分であって、上記ブームの管壁における管壁孔から離れた位置にある上記アンテナ素子の周面における両側に、夫々上記軸心に平行な谷部を備える凹部を形成し、一方、ブームの管内においては、断面形状においてアンテナ素子を中間にしてそれの両側位置に夫々上記ブームの軸心方向に伸びるリブを備え、それらのリブの断面形状における元部側は、夫々ブームの管壁に一体的に固着してあり、夫々のリブの断面形状における自由端側は、上記アンテナ素子の管壁における両側に形成された凹部の谷部に夫々当接させ、上記アンテナ素子を両側から挟持する状態で、上記ブームにアンテナ素子を固着したものである。
【００１０】
また好ましくは、中空のブームの管壁には、軸心方向に適当な間隔を隔てて、夫々中空管状のアンテナ素子をブームの軸線に直交する方向に貫通させる為の二個一対の管壁孔を複数備え、上記二個一対の管壁孔の夫々には中空管状のアンテナ素子を貫通させ、かつ、それらのアンテナ素子は夫々上記ブームに固着してあるアンテナにおいて、上記ブームに対するアンテナ素子の固着は、上記中空管状のアンテナ素子におけるブームの管内に位置する部分であって、上記ブームの管壁における管壁孔から離れた位置にある上記アンテナ素子の周面における両側に、夫々上記軸心に平行な谷部を備える凹部を相互に離間させた状態で２カ所宛形成し、一方、ブームの管内においては、断面形状においてアンテナ素子を中間にしてそれの両側位置で、かつ、上記ブームの管壁における夫々の管壁孔の側に夫々上記ブームの軸線方向に伸びる４条のリブを備え、それらのリブの断面形状における元部側は、夫々管壁孔の側の管壁に一体的に固着してあり、夫々のリブの断面形状における自由端側は、上記アンテナ素子の管壁における両側に夫々形成された上記軸心方向に平行な谷部に夫々当接させ、上記アンテナ素子を両側の４カ所から挟持する状態で、上記ブームにアンテナ素子を固着したものである。
【００１１】
また好ましくは、中空のブームは、その内側において、断面形状においてアンテナ素子の存置予定位置の両側となる位置に、夫々上記ブームの軸心方向に伸びるリブを備えさせ、それらのリブの断面形状における元部側は、夫々ブームの管壁に一体的に固着し、夫々のリブの断面形状における先端側は自由端とし、さらに上記ブームには、軸心方向に適当な間隔を隔てて、中空管状のアンテナ素子をブームの軸線に直交する方向に貫通させる為の二個一対の管壁孔が複数備えられ、次に上記二個一対の管壁孔には夫々中空管状のアンテナ素子を貫通させ、次に、上記のリブに加圧してリブを変形させることにより、リブの自由端を上記中空管状アンテナ素子の管壁に押し当てて、中空管状のアンテナ素子の外周面を凹ませ、リブの自由端と中空管状のアンテナ素子の外周面における凹部との嵌合により、中空管状のアンテナ素子の回動と、アンテナ素子の長手方向への移動を阻止するようにしたものであればよい。
【００１２】
【発明の実施の形態】
以下本願発明の実施の形態を示す図面について説明する。図１乃至図４において、１はＶＨＦ〜ＵＨＦ波などの任意の通信信号（画像信号を含む）の送受に利用される周知のアンテナを示す。２は、周知のようにアルミニウム或は塑性変形可能な硬質材等によって形成された断面が丸（又は図７に２点鎖線で示すような四角を含む多角形状）の中空のブームを示し、通常建造物の上に樹立させたマスト１ａの上方に装着され、通信の送受の方向に向けて配置される。
ブーム２の軸線方向においては、図１に示されるように導波器１０、放射器８、反射器９を高周波的に適当な間隔を隔てた位置に備えている。
導波器１０が設けられているブーム２にあっては、夫々ブーム２の軸線に対して直交する方向に向けて適当な間隔を隔てて、複数個の貫通孔４ａを備える。
この中空ブーム２の管壁４に設けた貫通孔４ａは、中空管状のアンテナ素子６をブームの軸線に直交する方向に貫通させる為の二個一対の管壁孔４ａとなっている。
【００１３】
図１、図２、図３、図４、図５に示される中空のブーム２の内側には、図示されるようにブーム２の軸線方向に伸びるリブ３を備える。
それらのリブ３の断面形状における元部側３ｃは、夫々管壁４と一体的に成形して固着状態にしてあり、夫々のリブ３の断面形状における先端側３ｂは、パイプ（ブーム２）製造段階では図３、図４（Ｂ）に一点鎖線で示されているように水平に伸び、自由端に構成してある。従って、ブーム２の内部には、図３において、上下のリブ３、３の中間位置に中空部２ａが、上下のリブ３、３の上方と、下方の両側に中空部２ｂ、２ｂが存在することになる。
【００１４】
上記中空部２ａには円筒状のアンテナ素子６を挿通し、その円筒状のアンテナ素子６を挿通後、図３の一点鎖線位置にあった４箇所の先端３ｂを図の実線位置に曲げることにより、図示のようにアンテナ素子の部分６ａの外周面を凹ませる。これにより、アンテナ素子の部分６ａの対応部分４箇所にブーム２の軸心に平行で平坦になっている谷部７ｄを備える凹部７ｂが構成される。
また各谷部７ｄには上記先端３ｂが圧接し、アンテナ素子の部分６ａの回り止めとなる。また凹部７ｂの両傾斜面が、アンテナ素子の部分６ａの図３の左右方向へ移動することを防止する。なお３ａは、リブ３の中央位置に設けた１条（又は複数条）の溝で、軸心方向（リブ３の長手方向）に長く形成し、先端３ｂを矢印２６方向に曲げるときに、曲がり易くしたものである。
【００１５】
ブーム２における上記の中空部２ｂ、２ｂは後述の押型２０を通過させる為の空間である。押型２０を通過させることにより、各先端３ｂを矢印２６方向に曲げ、アンテナ素子の部分６ａに押圧することができる。ブーム２の管壁４におけるリブ３、３の相互間４ｃにおいては図示の如く肉厚にしてある。この肉厚部４ｃを厚くすることにより、アンテナ素子６の外周面に対向する面が広くなり、アンテナ素子６を保持する面積が増加する。従ってリブ３を押圧加工するとき、アンテナ素子６の外周に歪みをもたらせ難くすること、及び、アンテナ素子６を安定保持することのできる効果が生じる。また肉厚部４ｃの存在により、先端３ｂを曲げるときの管壁４に対する歪みの発生が防止できる。
上記のようにブーム２の内部にリブ３が配置されると、ブーム２の曲げに対する強度が増大し、ブーム２のサイズを細く、軽くする上に効果がある。
なお、このように内部にリブ３を備えるブーム２は通常知られているように雄型と雌型のダイスを用いた押出成型法を応用して製作される。
【００１６】
次に図６に示されている押型２０について説明する。押型２０の外形形状は図６に示されているような形状で、かつ、硬質材例えば金属材でもって形成される。
押型２０の断面形状は、図６における（Ａ）（Ｂ）（Ｃ）（Ｄ）の側面図と断面図から理解できるように、ブーム２の管内の両側にある中空部２ｂ，２ｂを通過させることができるように、そこの断面形状を考慮して対応決定する。
押型２０の外面２１は全体的な感覚としてはブーム２の内周面の円弧形状に対応させ、そこへの圧接を可能に対応断面形状にしてある。
押型２０における断面形状において、２０ｂは、中空部２ｂに対して挿入し易いように比較的小さく形成された先行部を示し、２０ｃは、図３に一点鎖線で示されているリブの先端３ｂを僅かにアンテナ素子の谷部７ｂの側に折り曲げて、次の本曲げに備えさせる為に図６（Ｃ）のような内向きの押曲部２２ａを有する予備曲部を示す。２０ｄは、図３、４に実線で示されるように最終的にリブの先端３ｂをアンテナ素子の谷部７ｂに曲付け、形成した谷部７ｂに接圧させるためのもので、図６（Ｄ）のような、リブに当付ける為の内向きの押付部２２ｂを有する本曲部を示す。
押型２０の断面形状の説明にあたっては、図６における（Ａ）（Ｂ）（Ｃ）（Ｄ）の側面図と断面図を用いて断片的に説明したが、図面から理解できるように上記のリブ３の曲付け作業は、図６（Ｂ）から（Ｄ）に向けて逐次行われるように斜面２２ａと２２ｂとは連続さしてある。図６において下面２２の２２ｄは凹状の逃げ部を示す。２２ｃは補助押圧部を示し、図４の状態で中空部２ｂを通過させる場合、その下面２２ｃを膨出部７ａに圧接させながら進行する。こうすることにより、リブの先端３ｂが凹部７ｂを軽い力で押圧できるようになる。但し、先端３ｂの材質によっては下面２２ｃを膨出部７ａに接しないようにしてもよい。
【００１７】
押型２０の後端には図５，６に示されるように操作部材２５を着脱自在に一体状に付設しておく。この部材２５は硬質材の棒状のもので、その長さは、図１に示されるブーム２に付設した複数のアンテナ素子６の存在する区間に押型２０を進退操作できるに十分な長さにしてある。部材２５としては、押型２０の先端に細いワイヤーを一体的に付設し、そのワイヤーでもって押型２０をブーム２の内部に引込み、通過路２４を通過させることにより、複数のアンテナ素子６をブーム２に対して夫々止着する作業に用いてもよい。
押型２０の数は、図５に示すように対称的な構成のものが２個１対であれば良い。これらを同時に夫々の通過路２ｂ、２ｂに挿通し、同時に通過させることによって、押型２０の押圧部２２ａ、２２ｂによって極めて能率よく、リブ３を変形させ、複数のアンテナ素子を次々とリブ３によって固着することができる。しかしながら押型２０の数が１つの場合は、一方の通過路２ｂを通過させた後、残る他方の通過路２ｂを通過させることによりブーム２のリブ孔３により複数のアンテナ素子６を固着するようにしても、やはり能率の良い作業ができる。
【００１８】
次にブーム２に装着するアンテナ素子６を固着する手段について説明する。
先ず、ブーム２の管壁孔４ａにアンテナ素子６を図５に示されているように貫通させる。この場合、アンテナ素子６の両端閉塞等の必要な端面処理加工は、作業のし易い場所において、予め能率良く施しておくと、その後の加工が単純化される（複雑にならない）効果がある。
【００１９】
次に中空部２ｂに図６に示される押型２０を挿通して通過させる。その通過の状態は上面２１がブーム２の内周面に接圧する状態で通過させる。すると図６の（Ｃ）図における内向き押曲部２２ａの辺りで図３の先端３ｂを矢印２６方向に僅かに押し曲げ、さらに図６の（Ｄ）図における押付部２２ｂの辺りで図３の先端３ｂを矢印２６方向に向けて強く大きく押し曲げる。この場合のリブ３ｂに対する押型２０の位置関係は図４に一点鎖線で示す関係位置になる。このようにして上記のリブ３に加圧を施して、リブ３の１部を変形させることにより、リブ３の自由端３ｂを上記中空管状アンテナ素子の管壁７ａに押し当てる。その押し当てによって中空管状のアンテナ素子における一部分６ａの外周面７ｂを凹ませ、図２に現れるように両側を膨らませ、リブの自由端３ｂと中空管状のアンテナ素子の外周面における凹部７ｂとを図３，４のように嵌合させる。なお中央部分７ａは図２のように上下にやや細る状態になるが抜止め効果はある。
上記の嵌合により、中空管状のアンテナ素子６ａの回動と、アンテナ素子６の長手方向への移動は阻止される。
【００２０】
なお一般的なブームとアンテナ素子の寸法関係は、ブーム（アルミ）２の外径は：２２ｍｍ、ブーム２の内径は：２０ｍｍ、ブームの管壁の貫通孔の内径は：８．１ｍｍ、アンテナ素子（アルミ）の外径は：８ｍｍ、アンテナ素子の内径は：７ｍｍが妥当な寸法。
次に押型２０と、通過路２ｂと、ブーム２と、リブ３の寸法関係は、それらの部材相互の肉厚の変更に伴う曲がり具合いの相関関係によって多少は異なるが、あえて例示すれば押型２０の全長１００ｍｍ、本曲げ付部２０ｄの区間は２０ｍｍ、断面形状は、高さ寸法７．０ｍｍ、押付部２２ｂの傾斜角８０°になる。
リブ３における図４（Ｂ）の先端３ｂまでの突出寸法は、下面側において５．５ｍｍ、溝３ａから先端までは２．８ｍｍ、図４（Ｂ）のリブ３における押圧状態の高さ寸法は３．４ｍｍ、厚みｔは１．０ｍｍ、図３の上下に位置するリブ相互間の内寸法はアンテナ素子６よりも僅かに大きく、８．５ｍｍに設定してある。
しかし以上記載した寸法は、アンテナの用途が異なることによって、ブームの大きさ、アンテナ素子の寸法などが変更される為、それに伴い夫々の寸法は対応して変更しなければならない。
【００２１】
次に、図７の（Ａ）、（Ｂ）に示されるものは、図３，４のリブ３とは異なる実施例のリブ３の形状を示すものである。
（Ａ）は、図４における左側の上下二つのリブ３、３を備えさせることのない状態の実施例を示すもので、右側のリブ３、３によってのみ、本願発明の実施例を構成するようにしたものである。
（Ｂ）は、上下においてリブ３の元部３ｃの固着位置が異なる例を示す図で、リブ３、３は夫々中央部に向け互いに伸びており、中央部において上下からアンテナ素子６を押圧し、その押し圧によって中空管状のアンテナ素子における一部分６ａの外周面７ｂを凹ませ、リブの自由端３ｂと中空管状のアンテナ素子の外周面における凹部７ｂとを嵌合させる。
この嵌合により、中空管状のアンテナ素子の回動と、アンテナ素子の長手方向への移動を阻止するようにしたものである。
なお、図７において前述の図３，４のものと機能、性質又は特徴等が同一又は均等構成と考えられる部分には、前述の図３，４と同一の符号を付して重複する説明を省略する。また押型２０を用いての製法も、押型の内面２２を対応形状にして同様の考えで行えばよい。
【００２２】
【発明の効果】
本願発明は、ブーム２の管内に位置するアンテナ素子の部分６ａにおいて、ブーム２の管壁４における管壁孔４ａから離れた位置に設けられている凹部７ｂ、７ｂ  に対して、元部側３ｃが夫々管壁４に一体的に固着してあるリブ３の自由端３ｂを夫々当接させて上記アンテナ素子の部分６ａを両側から挟持する状態で、上記ブーム２にアンテナ素子６を固着するものであるから、中空のブーム２に対し、アンテナ素子６を固定した状態においては、それの固定部分７ｂ、３ｂが外部からは見ることができず、外観的に美しい状態で固着されたアンテナを提供できる効果がある。
【００２３】
その上本願発明にあっては、上記のように構成したことによって、アンテナが暴風雨に晒されて、アンテナ素子６が暴風雨による振動を受けたとき、上記の固着部分７ｂ，３ｂは、ブーム２の管内の中央寄り位置にあって管壁４により守られており、ブーム２の二つの孔縁４ｂ、４ｂ  がアンテナ素子６の固着部分７ａ、３ｂの振れによる折損を防ぐ為の支柱の役割を果たす効果がある。
本件発明にあってはこのようにして、アンテナ素子６の全体の共振現象を柔らかなものにし、アンテナ素子６におけるブームの管壁の孔縁４ｂ、４ｂ近くの損傷を防いで、アンテナ素子６の寿命を高めることのできる効果がある。
【００２４】
更に本願発明にあっては、前述したようにブーム２の管内に位置するアンテナ素子部分６ａにおいて、ブーム２の管壁４における管壁孔４ａから離れた位置に設けられている凹部７ｂ、７ｂ  に対して、元部側が夫々管壁４に一体的に固着してあるリブ３の自由端３ｂを夫々当接させ、上記アンテナ素子の部分６ａを両側から挟持する状態で、上記ブーム２にアンテナ素子６を固着する構成であるから、固着部分７ｂ、３ｂの位置は、加工精度上、両側の管壁孔４ａ、４ａから適当な寸法だけ離れた任意の位置に自由に選定できる特徴がある。これにより、固着部分７ｂ、３ｂを構成する技術精度は安易なものでよく、手軽でかつ能率よく構成できる効果がある。
【００２５】
さらに本願発明にあっては、上記固着部分７ｂ、３ｂを構成するに当り、リブ３の元部側は管壁４に一体的に固着してあり、リブ３の先端側３ｂは自由端に構成してあるので、リブ３の先端側は、リブ３の元部側の固着状態とは関係なく、比較的軽い力で曲げ加工を施すことのできる特長がある。このことは、リブ３の先端側３ｂを曲げて固着部分７ｂ、３ｂを構成する場合に無駄な力を必要とせず、さらにはリブ３の先端側を曲げる力によって、ブーム２の管壁に不測的な大きな歪みを発生させることのない等の効果を備える。
【図面の簡単な説明】
【図１】アンテナの斜視図。
【図２】図１におけるＩＩ−ＩＩ線断面図。
【図３】図１におけるＩＩＩ−ＩＩＩ線断面図。
【図４】（Ａ）は図１におけるＩＶ−ＩＶ線断面図、（Ｂ）は、（Ａ）図の右上にあるリブ３と管壁の谷部７ｄとの関係を示す部分拡大図。
【図５】ブームにアンテナ素子を貫通させた段階の部分破断斜視図と、ブームの内部通過路を通過させる押型２０、２０の関係を示す為の斜視図。
【図６】（Ａ）は押型２０の側面図、（Ｂ）はＶーＶ線断面図、（Ｃ）はＶＩーＶＩ線断面図、（Ｄ）はＶＩＩーＶＩＩ線断面図。
【図７】（Ａ）、（Ｂ）は、図４に示されるリブとは異なる実施例を示す断面図。
【図８】従来において、ブームの内側に位置するアンテナ素子の一部を膨出させる為の手段の一例を示す為の図面であって、（Ａ）は、膨出加工寸前の状態を示す縦断面図。（Ｂ）はブームの管壁内面の間際を膨出させた状態を示す縦断面図。
【符号の説明】
１・・・アンテナ、２・・・ブーム（アーム）、３・・・リブ、４・・・管壁、４ａ・・・管壁孔、４ｂ・・・管壁の孔縁、６・・・アンテナ素子（導波素子）、７・・・管壁、７ａ・・・膨出部、７ｂ・・・凹部、８・・・放射器、９・・・反射器、１０・・・導波器、２０・・・押型、２１・・・外面、２２・・・内面、２５・・・操作部材。
【図１】
2004236100.tif 000003
【図２】
2004236100.tif 000004
【図３】
2004236100.tif 000005
【図４】
2004236100.tif 000006
【図５】
2004236100.tif 000007
【図６】
2004236100.tif 000008
【図７】
2004236100.tif 000009
【図８】
2004236100.tif 000010